(57)【要約】【課題】施設へ設置される給気ファンによる塵埃の侵入を防止するために、吸気側(施設外)にフィルターを設置するが、このフィルターが塵埃により短期間のうちに目詰まりを起こし、給気の用を足さなくなる。また給気ファンは施設の高い位置に設置されるために、例え目詰まりを起こしても、フィルターを清掃交換することが困難になっている。特に高層階においては、清掃交換が不可能になっていることがある。【解決手段】本発明は、施設設置の給気ファン３の給気側に、フィルター４を設置している。また当フィルター４と接続している排出管６を設けている。この結果フィルター４内に侵入してきた塵埃を、フィルター内圧と外圧との差により発生する気流利用して、排出管６を通して排出口７より室外に排出することで、フィルター４の詰まりを防止することができる。このことにより塵埃の除去作業をなくし、塵埃による目詰まり解消のための清掃交換の期間を大幅に延長することができる。塵埃による前記課題の解決手段を安価に提供する技術である。【選択図】図１
2018159495.tif 000002
【特許請求の範囲】
【請求項１】
施設内へ給気する給気ファンの室内側に取り付けられたフィルターと、一端が前記フィルターに接続され、他端が室外に解放された排出管とを備え、前記給気ファンの作動時に、前記フィルター内と室外との気圧差で発生する気流を利用して、前記フィルター内の塵埃を室外へ排出することを特徴とする塵埃捕獲排出装置。
【請求項２】
前記フィルターが多重に構成されていることを特徴とする請求項1記載の塵埃捕獲排出装置。
【請求項３】
前記フィルターに接続された前記排出管に風量調整用のダンパーが設けられていることを特徴とする請求項1又は２記載の塵埃捕獲排出装置。
【発明の詳細な説明】
【技術分野】
【０００１】
本発明は施設内へ侵入した塵埃を捕獲し、施設外へ排出する塵埃捕獲排出装置に関するものである。
【背景技術】
【０００２】
多くの施設には給排気用に給排気ファンが設置されている。これらに給排気ファンの気流に乗って侵入する塵埃の侵入防止のために、給気ファン吸込み側（施設外側）、又は吸気口には塵埃侵入防止フィルターが設置されている。しかしこれらの塵埃防止フィルターは外気中の塵埃により早晩目詰まりを起こし、給排気ができなくなってしまう。また給気ファン施設内側へのフィルターも設置されている例も有るが、侵入してきた塵埃を有効に排出する機構がないために、短期間にフィルターの取外し、清掃交換をせざるを得なかった。
【先行技術文献】
【特許文献】
【０００３】
【特許文献１】特開2005-237317号  公報
【特許文献２】特開2007-301117号  公報
【０００４】
特許文献1は、吸引ファンで昆虫等を吸込み、この昆虫等とともに吸い込んだ空気を粘着シートに吹き付けることによって、虫を捕獲することを目的にしているにすぎない。特許文献2は給気ファンを使用し、その給気側に虫捕獲用の網体を設置し、虫を捕獲することも目的にしているが、この捕獲した虫の排出についての記述はなく単なる捕獲装置に過ぎない。
【発明の概要】
【発明が解決しようとする課題】
【０００５】
給気ファンにおいては、給気ファン吸込み側へ塵埃防止フィルターが設置されているが、概ね施設外への設置とならざるを得ない。またこれらの給気ファンは施設天井側への設置となっているために、設置されているフィルターは清掃交換が困難になっている。特に高層階になると屋外に設置してあるフィルターの清掃交換が不可能になっていることがある。また給気ファン給気側へのフィルターも設置されている例も有るが、高所への設置とならざるを得ず、侵入してきた塵埃を有効に排出する機構がないために、短期間にフィルターの取外しての清掃交換をせざるを得なかった。本発明は簡単で安価に侵入塵埃を室外に排出することができる塵埃捕獲排出装置を提供するものである。
【課題を解決するための手段】
【０００６】
本願装置は、施設内へ給気する給気ファンの室内側に取り付けられたフィルターと、一端がフィルターに接続され、他端が室外に解放された排出管とを備え、前記給気ファンの作動時に、前記フィルター内と室外との気圧差で発生する気流を利用して、フィルター内の塵埃を室外へ排出することを特徴とする。尚、本発明において塵埃とは給気ファンにより吸入される昆虫等全てのものを含む総称である。
【０００７】
また本願装置は、前記フィルターが多重に構成されていることを特徴とする。
【０００８】
また本願装置は、前記フィルターに接続された排出管に、風量調整用のダンパーが設置されていることを特徴とする。
【発明の効果】
【０００９】
本発明により室内側フィルターへ侵入した塵埃は、前記給気ファンによる前記フィルター内圧と室外圧の差圧により発生する気流により、前記フィルターに接続している排出管を通って屋外に排出される。
【００１０】
このことにより、前記フィルター内へ侵入してきた塵埃を除去する必要がなくなり、塵埃の除去のための労力を大幅に削減できる。また前記フィルターの塵埃による目詰まりを防止し、その清掃交換期間を大きく伸ばすことができるようになる。
【００１１】
前記フィルターを多重に重ねて設置することで、捕獲効果を上げることもできる。又フィルターの多重化により1枚の前記フィルターが破損した時にも、捕獲塵埃の放出の危険性を大幅に削減することができる。
【００１２】
前記多重フィルターの外側の材質を金属製に変更することにより、フィルターの破損による捕獲物の室内への放出の危険性を更に削減できる。
【００１３】
排出管にダンパーを設置することにより、屋外への放出風量を調節することができることになり、塵埃の効率的な放出ができる。またダンパーの一定の時間ごとの開閉により、フィルター内に気流の変化が発生し、この気流の変化により捕獲物が気流に乗ってフィルター内を乱舞し、自らフィルター内を清掃することも期待できる。
【図面の簡単な説明】
【００１４】
【図１】図１は課題を解決するための塵埃捕獲装置の実施形態図である。
【図２】図２は他の塵埃捕獲装置の実施形態図である。
【図３】更に図３は他の塵埃捕獲装置の実施形態図である。
【図４】更に図４は他の塵埃捕獲装置の実施形態図である。
【図５】更に図５は他の塵埃捕獲装置の実施形態図である。
【発明を実施するための形態】
【００１５】
本実施形態の塵埃捕獲排出装置を図1で説明する。施設壁面１に室内側へ給気する供給ファン３が設置されている。袋状布製フィルター５が給気ファン３の室内側に設置されている。この袋状布製フィルター５の側面部に、捕獲物を室外に排出する排出管６を接続することによって、捕獲物を排出口７より排出する構造になっている。この捕獲物の排出は、給気ファン３による袋状布製フィルター５の内圧と外圧との差により発生する気流によっている。また前記袋状布製フィルター５に接続された排出管６にダンパー８を設置して、その風量を調整できるようになっている。尚、袋状布製フィルターは２のように網目状から成っている。またその袋状布製フィルター５の形状は、円筒状、立方体状その他形状に制限はない。
【００１６】
図２に示す他の実施形態の塵埃捕獲装置は、袋状布製フィルター５に代えて箱状金属製フィルター４を用いた点に特徴がある。箱状金属製フィルターを使用することにより、破損による捕獲物の室内への放出の危険性を削減できる
【００１７】
更に図３に示す他の実施形態の塵埃捕獲装置は、布製フィルター５の外側に布製フィルター９を設置し、多重の構造としたことに特徴がある。この多重化によって、捕獲効果を上げるとともに、片方のフィルターの破れ等による、捕獲物の室内への放出の危険を防止でき、安全に塵埃の捕獲排出を達成できる。尚、この時の排出管は、多重フィルターそれぞれに接続し、重なったフィルターの間の排出管６には気流排出用の穴１１が設けられている。
【００１８】
更に図４に示す他の実施形態の塵埃捕獲装置は、前記袋状布製フィルター９に代えて箱状金属製フィルター１０を使用したことを特徴とする。金属製フィルター１０を使用することで、フィルターの破損による塵埃の室内への放出の危険性をさらに減少させることができる。尚、この時の排出管は、多重フィルターそれぞれに接続し、重なったフィルターの間の排出管６には気流排出用の穴１１を設けている。
【００１９】
更に図５に示す他の実施形態の塵埃捕獲排出装置は、排出管６を分岐させ、複数の接続口を、多重化したフィルターそれぞれに接続したことを特徴とする。
【００２０】
尚、前記フィルターに接続する排出管６の接続位置は、図上は側面となっているが、供給ファン３の対面、その他設置位置は問わないことで、放出効率の最適な場所に設置できるとともに、供給ファン３設置位置による制約を回避することができる。
【００２１】
前記フィルターの取付け場所として、給気ファン筐体、又は給気ファンが取り付けられた施設壁面１に直接取り付けても良い。
【産業上の利用可能性】
【００２２】
施設内換気において、一般的には、塵埃等常時空気中に浮遊するごく小さなものでも、施設内への侵入が少ないほうが良い。また食品製造所及び食品関連の産業においては、飛翔性昆虫の室内への侵入は、食品への異物混入の大きな原因となっているために、飛翔性昆虫の室内への侵入に厳重な注意が払われている。この昆虫の施設内への侵入を防止する方法として、空気の吸込み口へのフィルターの設置が行われている。しかし空気の吸込み口は室外に、また天井近くへの設置とならざるを得ず、設置されたフィルターの清掃及び交換作業を困難にしている。特に高層階になれば、目詰まりを起こしている室外に設置されたフィルターは、給気の役を果たせなくなっているにもかかわらず、清掃交換が実施できないことが多々発生している。しかしこのフィルターを給気側(室内側)に設置する例があるが、やはりフィルターは目詰まりを起こし、又侵入した塵埃を除去する必要があるために、清掃及び交換に多くの手間を必要としている。本申請特許は、この問題を安価に又大きく改善する方法を提供することができる。
【符号の説明】
【００２３】
１  施設壁面  
２  フィルター網目  
３  給気ファン  
４  金属製フィルター  
５  布製フィルター  
６  排出管  
７  排出口
８  気流調整用ダンパー  
９  多重布製フィルター  
10  多重金属製フィルター  
11  排出管の開口穴
【図１】
2018159495.tif 000003
【図２】
2018159495.tif 000004
【図３】
2018159495.tif 000005
【図４】
2018159495.tif 000006
【図５】
2018159495.tif 000007